(57)【要約】【課題】低コストで鏡筒長さ変更することができるレンズ鏡筒を提供する。【解決手段】本発明のレンズ鏡筒（１）は、カメラボディ（２）に対する接続状態を検知する検知部（１ｂ）と、前記検知部（１ｂ）により検知される前記カメラボディ（２）との接続状態が変化した場合に、鏡筒長を変更する駆動機構（１６）と、を備えることを特徴とする。【選択図】図２
2009282306.tif 000002
【特許請求の範囲】
【請求項１】
カメラボディに対する接続状態を検知する検知部と、
前記検知部により検知される前記カメラボディとの接続状態が変化した場合に、鏡筒長を変更する駆動機構と、
を備えることを特徴とするレンズ鏡筒。
【請求項２】
請求項１に記載のレンズ鏡筒であって、
変更時の該レンズ鏡筒の長さは、該レンズ鏡筒における撮影可能な状態の長さより短いことを特徴とするレンズ鏡筒。
【請求項３】
請求項１又は２に記載のレンズ鏡筒であって、
前記駆動機構を駆動させる電源を備えることを特徴とするレンズ鏡筒。
【請求項４】
請求項３に記載のレンズ鏡筒であって、
前記電源は、該レンズ鏡筒が前記カメラボディに装着されているときに該カメラボディの電源から充電されることを特徴とするレンズ鏡筒。
【請求項５】
請求項４に記載のレンズ鏡筒であって、
前記電源がコンデンサであることを特徴とするレンズ鏡筒。
【請求項６】
請求項４又は５に記載のレンズ鏡筒であって
前記電源は、前記カメラボディの電源のオン・オフ状態にかかわらず、該カメラボディの電源から充電されることを特徴とするレンズ鏡筒。
【請求項７】
請求項１〜６のいずれか１項に記載のレンズ鏡筒であって、
前記検知部は、前記カメラボディと該レンズ鏡筒との間の通信用の接点であることを特徴とするレンズ鏡筒。
【請求項８】
請求項７に記載のレンズ鏡筒であって
前記検知部は、前記接点の接続が断たれた状態になったことを検知する検知部であることを特徴とするレンズ鏡筒。
【請求項９】
請求項１〜８のいずれか１項に記載のレンズ鏡筒とカメラボディとを備えることを特徴とするカメラシステム。
【請求項１０】
カメラボディに対する接続状態を検知し、
検知される前記カメラボディとの接続状態が変化した場合に、鏡筒長を変更することを特徴とするレンズ鏡筒の鏡筒長の変更方法。
【発明の詳細な説明】
【技術分野】
【０００１】
本発明は、レンズ鏡筒、カメラシステム及び鏡筒長の変更方法に関するものである。
【背景技術】
【０００２】
従来、レンズ鏡筒自体が電源及び操作ボタンを備え、その操作ボタンを操作することによりレンズ鏡筒を短縮することが可能なレンズ鏡筒が知られている（例えば、特許文献１参照）。
【特許文献１】特開２０００−１２１９１３号公報
【発明の開示】
【発明が解決しようとする課題】
【０００３】
しかし、従来のレンズ鏡筒は、操作ボタンおよびこれに付随する回路部を設ける必要があり、コストがかかるという問題がある。
【０００４】
本発明の課題は、低コストで鏡筒長さを変更することができるレンズ鏡筒、カメラシステム及び鏡筒長の変更方法を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、カメラボディ（２）に対する接続状態を検知する検知部（１ｂ）と、前記検知部（１ｂ）により検知される前記カメラボディ（２）との接続状態が変化した場合に、鏡筒長を変更する駆動機構（１６）と、を備えることを特徴とするレンズ鏡筒（１）である。
請求項２に記載の発明は、請求項１に記載のレンズ鏡筒（１）であって、前記変更時の該レンズ鏡筒（１）の長さは、該レンズ鏡筒（１）における撮影可能な状態の長さより短いことを特徴とするレンズ鏡筒（１）である。
請求項３に記載の発明は、請求項１又は２に記載のレンズ鏡筒（１）であって、前記駆動機構（１６）を駆動させる電源（２０）を備えることを特徴とするレンズ鏡筒（１）である。
請求項４に記載の発明は、請求項３に記載のレンズ鏡筒（１）であって、前記電源（２０）は、該レンズ鏡筒（１）が前記カメラボディ（２）に装着されているときに該カメラボディ（２）の電源（３）から充電されることを特徴とするレンズ鏡筒（１）である。
請求項５に記載の発明は、請求項４に記載のレンズ鏡筒（１）であって、前記電源（２０）がコンデンサ（２０）であることを特徴とするレンズ鏡筒（１）である。
請求項６に記載の発明は、請求項４又は５に記載のレンズ鏡筒（１）であって、前記電源（２０）は、前記カメラボディ（２）の電源（２０）のオン・オフ状態にかかわらず、該カメラボディ（２）から充電されることを特徴とするレンズ鏡筒（１）である。
請求項７に記載の発明は、請求項１〜６のいずれか１項に記載のレンズ鏡筒（１）であって、前記検知部は、前記カメラボディ（２）と該レンズ鏡筒（１）との間の通信用の接点（１ｂ）であることを特徴とするレンズ鏡筒（１）である。
請求項８に記載の発明は、請求項７に記載のレンズ鏡筒（１）であって、前記検知部は、前記接点の接続が断たれた状態になったことを検知する検知部（１ｂ）であることを特徴とするレンズ鏡筒（１）である。
請求項９に記載の発明は、請求項１〜８のいずれか１項に記載のレンズ鏡筒（１）とカメラボディ（２）とを備えることを特徴とするカメラシステム（１００）である。
請求項１０に記載の発明は、カメラボディ（２）に対する接続状態を検知し、検知される前記カメラボディ（２）との接続状態が変化した場合に、鏡筒長を短縮することを特徴とするレンズ鏡筒（１）の鏡筒長の変更方法である。
なお、符号を付して説明した構成は、適宜改良してもよく、また、少なくとも一部を他の構成物に代替してもよい。
【発明の効果】
【０００７】
本発明によれば、低コストで鏡筒長さを変更することができるレンズ鏡筒、カメラシステム及び鏡筒長の変更方法を提供することができる。
【発明を実施するための最良の形態】
【０００８】
以下、図面等を参照して、本発明の実施形態について説明する。図１は、本実施形態のレンズ鏡筒１及びそのレンズ鏡筒１が着脱可能なカメラボディ２を備えるカメラシステム１００の斜視図である。図示するように、カメラボディ２は、レンズ鏡筒１が装着されるマウント部２ａを備える。マウント部２ａには、ボディ側通信接点２ｂが設けられている。またカメラボディ２には、カメラボディ２等に電力を供給するための電源３が設けられている。
【０００９】
図２はレンズ鏡筒１の概略断面図である。図２（ａ）はレンズ鏡筒１がＴＥＬＥ端にある状態、図２（ｂ）はレンズ鏡筒１がＷＩＤＥ端にある状態を示す。カメラボディ２に取り付けられた状態でレンズ鏡筒１がこのＴＥＬＥ端とＷＩＤＥ端との間にある場合、カメラボディ２での撮影が可能となる。図２（ｃ）は、図２（ａ）と図２（ｂ）との間の撮影可能位置よりもレンズ鏡筒１がさらに短縮した収納状態を示したもので、この収納状態でカメラボディ２は合焦することができない。
【００１０】
図１及び図２に示すように、レンズ鏡筒１は、カメラボディ２のマウント部２ａに装着されるマウント部１ａを備え、マウント部１ａには、レンズ側通信接点１ｂが設けられている。また、レンズ鏡筒１は、マウント部１ａに対して固定された固定筒４と、固定筒４の内部に設けられ、光軸方向に移動することにより固定筒４に対して伸縮可能に配置されたカム筒５，カム筒６を備える。またレンズ鏡筒１は、物側から第１レンズ群１０、第２レンズ群１１及び第３レンズ群１２、さらに第１レンズ群１０を保持する第１レンズ枠１３、第２レンズ群１１を保持する第２レンズ枠１４及び第３レンズ群１２を保持する第３レンズ枠１５を備える。
【００１１】
第１レンズ枠１３はカム筒６の内部においてカム筒６に対して直線移動可能に配置され、第２レンズ枠１４はカム筒５の内部おいてカム筒５に対して直線移動可能に配置されている。第１レンズ枠１３によって保持された第１レンズ群１０、第２レンズ枠１４によって保持された第２レンズ群１１、第３レンズ枠１５によって保持された第３レンズ群１２がレンズ鏡筒１内で光軸方向に移動することにより、撮影時のフォーカシングやズーミングが行われる。
【００１２】
レンズ鏡筒１は、さらにアクチュエータ１６、回転筒１７及び回路基板１８を備える。回転筒１７は固定筒４の像側に配置されており、固定筒４の周囲で回転可能となっている。アクチュエータ１６は回転筒１７に近接してその像側に設けられ、アクチュエータ１６の出力軸には、ギア１９が取り付けられている。一方、回転筒１７の外周面にはギア歯が形成されており、このギア歯にギア１９が噛合している。アクチュエータ１６が駆動すると、回転筒１７が回転し、この回転によってカム筒５，６の光軸Ａ方向への直線移動が行われ、カム筒５，６内の第１レンズ群１０，第２レンズ群１１が光軸Ａ方向に進退移動する。回路基板１８は通信接点１ｂ，２ｂを介してカメラボディ２側のＣＰＵ（図示せず）に電気的に接続され、アクチュエータ１６は回路基板１８に電気的に接続されている。
【００１３】
レンズ鏡筒１がカメラボディ２に装着された状態では、通信接点１ｂ，２ｂが接触して導通し、電源３の電力がレンズ鏡筒１に供給される。カメラの操作者がカメラボディ２の操作部（図示せず）を操作することにより、アクチュエータ１６が駆動され、レンズ群１０，１１，１２が光軸Ａ方向に移動し、ズーミングやフォーカシングが行われる。
【００１４】
また、レンズ鏡筒１にはコンデンサ２０が設けられている。コンデンサ２０は回路基板１８に実装されており、回路基板１８を介してアクチュエータ１６に電気的に接続されている。コンデンサ２０は回路基板１８、通信接点１ｂ，２ｂを介してカメラボディ２側の電源３と電気的な接続が可能となっており、レンズ鏡筒１がカメラボディ２に装着された状態で電源３から電力が供給されて電荷が蓄えられる。この電源３からコンデンサ２０への電力の供給は、カメラボディ２のスイッチ（図示せず）のＯＮ、ＯＦＦとは無関係に行われる。そして、レンズ鏡筒１をカメラボディ２から取り外すと、カメラボディ２側の電源３からの充電が停止する。また、コンデンサ２０の電荷の蓄えが終了した場合も、電源３からの充電は停止する。
【００１５】
回路基板１８には、スイッチング機能を有している。このスイッチング機能はコンデンサ２０とアクチュエータ１６とを接続するものであり、スイッチがＯＮになることによりコンデンサ２０からアクチュエータ１６に電力が供給される。スイッチがＯＮになり、コンデンサ２０から電力が供給されると、アクチュエータ１６はレンズ鏡筒１を図２（ｃ）に示す収納状態に短縮するように動作する。
【００１６】
スイッチング機能は通信接点１ｂ，２ｂと連動しており、通信接点１ｂ，２ｂが接触状態（レンズ鏡筒１のカメラボディ２への装着状態）では、スイッチはＯＦＦになっている。操作者がレンズ鏡筒１をカメラボディ２に対して回転し、通信接点１ｂ，２ｂが離れるとスイッチはＯＮになり、コンデンサ２０からアクチュエータ１６に対して電力が供給される。すなわち、レンズ鏡筒１とカメラボディ２との通信接点１ｂ，２ｂの接触が断たれると、レンズ鏡筒１は自動的に図２（ｃ）で示すような収納状態になる。
【００１７】
図３はレンズ鏡筒１の動作を示すフローチャートである。レンズ鏡筒１がカメラボディ２に装着されると（ステップＳ１、以下ステップをＳで示す）、通信接点１ｂ，２ｂが接触してカメラボディ２とレンズ鏡筒１との間において電力供給及び通信が可能となる。この状態で、レンズ鏡筒１はカメラボディ２の電源のＯＮ、ＯＦＦを判断する（Ｓ２）。カメラボディ２の電源がＯＦＦであっても（Ｓ４）、通信接点１ｂ，２ｂにおいて電源端子が通電している場合（Ｓ５）、後述するＳ６に移行してコンデンサ２０の充電が開始される。
【００１８】
一方、Ｓ２において、カメラボディ２の電源がＯＮの場合（Ｓ２，Ｙｅｓ）、レンズ鏡筒１はカメラボディ２との通信を行う（Ｓ３）。レンズ鏡筒１はその後、コンデンサ２０の充電を開始する（Ｓ６）。
【００１９】
レンズ鏡筒１は、通信接点１ｂにおいてのカメラボディ２のとの接続状態の変化を検知した場合（Ｓ７）、すなわち、操作者がレンズ鏡筒１をカメラボディ２に対して回転し、通信接点１ｂ，２ｂが離れるとスイッチはＯＮになり、コンデンサ２０からアクチュエータ１６に電力を供給する。これによりアクチュエータ１６が動作し、レンズ枠１２，１３，１４が後退してレンズ鏡筒１が短縮する（Ｓ８）。短縮動作は、レンズ鏡筒１が図２（ｃ）の収納状態となることにより完了する（Ｓ９）。
【００２０】
以上、本実施形態によると、以下の効果を有する。
（１）レンズ鏡筒１をカメラボディ２から取り外すと、レンズ鏡筒１が自動的に短縮する。レンズ鏡筒１の短縮のための操作が不要であるので短縮に手間がかかることがなく、操作性が向上する。
（２）レンズ鏡筒１のカメラボディ２からの取り外しの検知を通信接点１ｂ，２ｂによって行うため、レンズ鏡筒１の着脱を専用に検知する検知手段が不要である。
（３）レンズ鏡筒１の短縮のための電源としてカメラボディ２側の電源３より充電されるコンデンサ２０を用いている。このため、カメラボディ２の電源３と独立した短縮用の電源をレンズ鏡筒１側に設ける必要がない。ゆえにレンズ鏡筒１の構造を複雑化、大型化することなく、レンズ鏡筒１を短縮可能にすることができる。
【００２１】
（変形形態）
以上、説明した実施形態に限定されることなく、以下に示すような種々の変形や変更が可能であり、それらも本発明の範囲内である。
（１）本実施形態では、レンズ鏡筒１の短縮用電源としてコンデンサ２０を用いているが、これに限らず、二次電池でもよい。
（２）本実施形態では、レンズ鏡筒１のカメラボディ２への着脱を通信接点の接触によって検知しているが、これに限らず、例えば、光学的に検知してもよい。
（３）コンデンサ２０への充電をレンズ鏡筒１のカメラボディ２への装着によって開始しているが、これに限らず、カメラボディ２への装着後におけるレンズ鏡筒１及びカメラボディ２の交信によって充電を開始してもよい。
（４）本実施形態では、操作者がレンズ鏡筒１をカメラボディ２に対して回転させ、通信接点１ｂ，２ｂが互いに離れた時点で、コンデンサ２０からアクチュエータ１６に対して電力が供給されて、レンズ鏡筒１の短縮が開始する形態について説明した。しかし本発明はこれに限定されない。例えば、操作者がレンズ鏡筒１をカメラボディ２に対して回転させて通信接点１ｂ，２ｂが互いに離れても、レンズ鏡筒１とカメラボディ２とが完全に分離されるまでレンズ鏡筒１の短縮が開始しないようにしてもよい。この場合、別途、レンズ鏡筒１とカメラボディ２との着脱（レンズ鏡筒がカメラボディから離れたこと）を検知するセンサーを設けることもできる。
（５）また、操作者がレンズ鏡筒１をカメラボディ２に対して装着した時点で、レンズ鏡筒１が、収縮状態から撮影可能位置まで自動的に延びるようにしてもよい。
なお、実施形態及び変形形態は、適宜組み合わせて用いることもできるが、詳細な説明は省略する。また、本発明は以上説明した実施形態によって限定されることはない。
【図面の簡単な説明】
【００２２】
【図１】本発明の一実施形態が適用されたカメラボディの斜視図である。
【図２】レンズ鏡筒の動作を示す断面図であり、（ａ）はＴＥＬＥの状態を、（ｂ）はＷＩＤＥの状態を、（ｃ）は収納状態を示す。
【図３】レンズ鏡筒の動作のフローチャートである。
【符号の説明】
【００２３】
１：レンズ鏡筒、１ｂ：レンズ側通信接点、２：カメラボディ、２ｂ：ボディ側通信接点、３：電源、１０：第１レンズ群、１１：第２レンズ群、１２：第３レンズ群、１６：アクチュエータ、２０：コンデンサ
【図１】
2009282306.tif 000003
【図２】
2009282306.tif 000004
【図３】
2009282306.tif 000005